(57)【要約】【課題】より適した構成でＩＣカードによる認証だけでなく、テンキーによる認証も行うことを可能とするＩＣカードリーダを提供することである。【解決手段】ＩＣカードリーダ１０において、ＩＣカードに記憶された認証情報を読み取るカード読取部２０と、認証情報を入力するためのキー入力操作部３０と、カード読取部２０とキー入力操作部３０との少なくともいずれか一方からの認証情報によって認証を行う認証部と、キー入力操作部３０が取り付けられる対象物に固定されるための固定手段と、を備え、通常の使用時は、キー入力操作部３０がカード読取部２０によって覆い隠され、キー入力操作部３０の使用時は、キー入力操作部３０が現れることを特徴とする。【選択図】図１
2010003064.tif 000002
【特許請求の範囲】
【請求項１】
ＩＣカードに記憶された認証情報を読み取るカード読取部と、
認証情報を入力するためのキー入力操作部と、
カード読取部とキー入力操作部との少なくともいずれか一方からの認証情報によって認証を行う認証部と、
キー入力操作部が取り付けられる対象物に固定されるための固定手段と、
を備えるＩＣカードリーダであって、
通常の使用時は、キー入力操作部がカード読取部によって覆い隠され、
キー入力操作部の使用時は、キー入力操作部が現れることを特徴とするＩＣカードリーダ。
【請求項２】
請求項１に記載のＩＣカードリーダにおいて、
カード読取部とキー入力操作部とは積層され、
カード読取部は、積層方向と垂直な方向にスライド可能であることを特徴とするＩＣカードリーダ。
【請求項３】
請求項１または請求項２に記載のＩＣカードリーダにおいて、
カード読取部は、アンテナを内蔵し、ＩＣカードとの間で電磁誘導による通信を行い、ＩＣカードに記憶された認証情報を読み取って認証を行うことを特徴とするＩＣカードリーダ。
【請求項４】
請求項１から請求項３のいずれか１に記載のＩＣカードリーダにおいて、
カード読取部がキー入力操作部を覆い隠している状態を保持する保持手段を備えることを特徴とするＩＣカードリーダ。
【請求項５】
請求項４に記載のＩＣカードリーダにおいて、
保持手段は、電磁ロックを用いて保持することを特徴とするＩＣカードリーダ。
【発明の詳細な説明】
【技術分野】
【０００１】
本発明は、ＩＣカードリーダに係り、特に、ＩＣカードに記憶した認証情報を読み取るカード読取部と、認証情報を入力するためのキー入力操作部とを有するＩＣカードリーダに関する。
【背景技術】
【０００２】
現在、ビル等の建物において不審者等の侵入を防止するためにセキュリティの強化が行われている。特に、企業内における業務情報等が存在する領域に不審者等が侵入し、不審者等によってそのような業務情報が閲覧されたり、あるいはそのまま持ち帰られたりすると企業にとって大きな損害となる。そのため、近年のビル等においては、セキュリティを強化する必要がある領域には、予め所有者の個人認証情報が記憶されたＩＣカードを用いた入退室規制や入退室管理が行われている。
【０００３】
このように、ＩＣカードを用いた入退室規制を徹底すると、ＩＣカードを紛失した場合等に迅速に入退室することができない。したがって、比較的セキュリティレベルの低い領域においては、利便性を考慮してＩＣカードとテンキーのいずれか一方の認証によって入退室ができるようにする等、テンキーによる認証も行えることが好ましい。また、ＩＣカードのみによる認証だけでは、紛失されたＩＣカードを拾った不審者等が簡単に入退室可能となる。したがって、比較的セキュリティレベルの高い領域においては、ＩＣカードとテンキーの両方の認証によって入退室ができるようにすることが好ましい。
【０００４】
特許文献１には、図５，６に示されるように、カードリーダ本体７の前面側にアンテナ３を内蔵しており、アンテナを内蔵したＩＣカードとの間で電磁誘導による通信を行って、ＩＣカードに記憶した情報を読み取るようにした通信制御手段２と、認証情報を入力するためのキー入力操作器５とを備えた非接触ＩＣカードリーダであって、キー入力操作器５は、使用時には、カードリーダ本体７の前面より外方にある開位置に移動し、非使用時には、カードリーダ本体の前面に復帰する閉位置に移動する構成にしているものが開示されている。ここでは、キー入力操作器５がヒンジ等の開閉機構６で開閉できるように接続されており、キー入力操作器５上のテンキーは、開いた状態で操作できるように配置されている。
【０００５】
【特許文献１】特開２００５−９２６３８号公報
【発明の開示】
【発明が解決しようとする課題】
【０００６】
上記特許文献１の構成を用いることで、ＩＣカードだけによる認証だけでなく、キー入力操作器５上のテンキーによる認証も行うことが可能となる。しかし、特許文献１の構成では、キー入力操作器５を開いた状態でテンキーを押圧する等の操作を行うと、キー入力操作器５が損傷・破損しやすく、またテンキーによる入力操作も不安定で入力しにくいという問題がある。
【０００７】
本発明の目的は、より好適な構成でＩＣカードによる認証だけでなく、テンキーによる認証も行うことを可能とするＩＣカードリーダを提供することである。
【課題を解決するための手段】
【０００８】
本発明に係るＩＣカードリーダは、ＩＣカードに記憶された認証情報を読み取るカード読取部と、認証情報を入力するためのキー入力操作部と、カード読取部とキー入力操作部との少なくともいずれか一方からの認証情報によって認証を行う認証部と、キー入力操作部が取り付けられる対象物に固定されるための固定手段と、を備えるＩＣカードリーダであって、通常の使用時は、キー入力操作部がカード読取部によって覆い隠され、キー入力操作部の使用時は、キー入力操作部が現れることを特徴とする。
【０００９】
また、本発明に係るＩＣカードリーダにおいて、カード読取部とキー入力操作部とは積層され、カード読取部は、積層方向と垂直な方向にスライド可能であることが好ましい。
【００１０】
また、本発明に係るＩＣカードリーダにおいて、カード読取部は、アンテナを内蔵し、ＩＣカードとの間で電磁誘導による通信を行い、ＩＣカードに記憶された認証情報を読み取って認証を行うことが好ましい。
【００１１】
また、本発明に係るＩＣカードリーダにおいて、カード読取部がキー入力操作部を覆い隠している状態を保持する保持手段を備えることが好ましい。
【００１２】
また、本発明に係るＩＣカードリーダにおいて、保持手段は、電磁ロックを用いて保持することが好ましい。
【発明の効果】
【００１３】
上記構成のＩＣカードリーダによれば、キー入力操作部は取り付けられる対象物に固定されるため、キー入力操作部を操作するときには安定した状態でテンキーの入力操作を行うことができる。
【００１４】
上記構成の積層方向と垂直な方向にスライド可能なカード読取部を備えたＩＣカードリーダによれば、キー入力操作部での入力が必要なときに、カード読取部をスライドすることでキー入力操作部を操作することができる。
【００１５】
上記構成の保持手段を有するＩＣカードリーダによれば、カード読取部がキー入力操作部を覆い隠している状態を保持することができるため、誤ってキー入力操作部を操作することを防止することができる。
【発明を実施するための最良の形態】
【００１６】
以下に、本発明に係る実施の形態について添付図面を参照しながら詳細に説明する。また、以下では、ＩＣカードに記憶された認証情報の読み取りは非接触で行うものとして説明するが、ＩＣカードをカード読取部に接触させて認証情報の読み取りを行わせるものであってもよい。また、この説明において、具体的な形状、材料、数値、方向等は、本発明の理解を容易にするための例示であって、用途、目的、仕様等にあわせて適宜変更することができる。
【００１７】
図１は、本発明の一実施形態であるＩＣカードリーダ１０を示す図であり、カード読取部２０とキー入力操作部３０とが分解された状態を示す図である。図２は、キー入力操作部３０がカード読取部２０によって覆い隠されている状態を示す図である。図３は、図２の状態からカード読取部２０をカード読取部２０とキー入力操作部３０の積層方向と垂直な方向にスライドした状態を示す図である。ＩＣカードリーダ１０は、ＩＣカードに記憶された認証情報を読み取って認証する機能と、テンキーによって入力された認証情報を認証する機能を有する。なお、ＩＣカードに記憶された認証情報とテンキーによって入力された認証情報は、同じ認証情報でも異なる認証情報でもよい。異なる認証情報とは、具体的には、ＩＣカードに記憶された認証情報が「０１２３」のときに予め登録された情報と認証一致と判断され、テンキーによって入力される認証情報が「１２３４」のときに予め登録された情報と認証一致と判断される場合である。ＩＣカードリーダ１０は、カード読取部２０とキー入力操作部３０とを含んで構成される。カード読取部２０とキー入力操作部３０とは積層される。
【００１８】
カード読取部２０は、可動側ケース２２と、アンテナ回路部２４と、可動側化粧板部２６とを含んで構成される。可動側ケース２２は、箱型形状のケースであり、箱型を構成する前面２２１には、２つの案内溝２２２と、２つの嵌合孔２２４とを有する。案内溝２２２は、カード読取部２０をキー入力操作部３０から積層方向と垂直な方向にスライドさせるために後述するキー入力操作部３０のピン部を案内する。嵌合孔２２４は、カード読取部２０をキー入力操作部３０からスライドしない状態に保持するための孔である。
【００１９】
アンテナ回路部２４は、ＩＣカードとの通信を行うためのアンテナを含み、ＩＣカードと通信した認証情報を後述する認証回路部３４に無線通信で受け渡しする機能を有する。アンテナ回路部２４は、可動側ケース２２に収納される程度の大きさを有している。
【００２０】
可動側化粧板部２６は、可動側ケース２２に収納されたアンテナ回路部２４を保護するために覆う保護部材である。可動側化粧板部２６は、可動側ケース２２に嵌め込んで固定される。
【００２１】
キー入力操作部３０は、固定側ケース３２と、認証回路部３４と、固定側化粧板部３６とを含んで構成される。固定側ケース３２は、箱型形状のケースであり、箱型を構成する前面３２３には、キー入力操作部３０が取り付けられる対象物（例えば、建物壁）に設けられたナットに固定するための固定手段であるボルト３２１を備えている。
【００２２】
図４は、認証回路部３４を示すブロック図である。認証回路部３４は、カード読取部２０のアンテナ回路部２４が取得した認証情報や後述するテンキー３６６によって入力された認証情報が予め登録された認証情報と一致するか否かを認証する機能を有する。認証回路部３４は、固定側ケース３２に収納される程度の大きさを有している。認証回路部３４は、変調回路１０１と、復調回路１０２と、ＲＦ送信回路１０３と、ＲＦ受信回路１０４と、制御回路１００とを含んで構成される。変調回路１０１は、送信したデータにおいて搬送波の変調を行う機能を有する回路である。復調回路１０２は、ＩＣカードから返信される変調信号を復調する機能を有する回路である。ＲＦ送信回路１０３は、所望の送信パワーまで増幅を行う機能を有する回路である。ＲＦ受信回路１０４は、ＩＣカードからの返信信号を増幅し帯域制限を行うフィルタを内蔵する機能を有する回路である。
【００２３】
制御回路１００は、上記変調回路１０１と復調回路１０２とＲＦ送信回路１０３とＲＦ受信回路１０４を制御し、アンテナ回路部２４から取得した認証情報やテンキー３６６によって入力された認証情報を認証し、ＩＣカードリーダ１０が設けられるドア等のロックあるいはアンロック（ロック解除状態）といった入退室制限を行う。なお、制御回路１００は、図示しない外部設定に基づいて、カード読取部２０からの認証情報とテンキー３６６から入力された認証情報のいずれか一方のみの認証情報によって入退室制限を行う認証モードに設定にすることができ、また、カード読取部２０からの認証情報とテンキー３６６の入力による認証情報の両方の認証情報によって入退室制限を行う認証モードに設定することもできる。このように、制御回路１００は、外部設定に基づいて上記いずれかの認証モードになるように認証回路部３４を設定する。
【００２４】
制御回路１００は、図示しない外部設定に基づいて、カード読取部２０がキー入力操作部３０を覆い隠している状態を保持する入力モードに設定することができる。また、制御回路１００は、その外部設定に基づいてカード読取部２０がカード読取部２０とキー入力操作部３０との積層方向に垂直な方向に移動してキー入力操作部３０が現れた状態を保持する入力モードに設定することもできる。また、制御回路１００は、その外部設定に基づいてカード読取部２０がキー入力操作部３０を覆い隠している状態からＩＣカードに記憶された認証情報が一致した場合に、カード読取部２０がカード読取部２０とキー入力操作部３０との積層方向に垂直な方向に移動してキー入力操作部３０の入力が可能となる状態へと移行する入力モードに設定することもできる。このように、制御回路１００は外部設定に基づいて上記いずれかの入力モードになるように後述するプランジャ部３６４を制御する。
【００２５】
固定側化粧板部３６は、ピン部３６２と、プランジャ部３６４と、テンキー３６６とを含んで構成される。固定側化粧板部３６は、固定側ケース３２に収納された認証回路部３４を保護するために覆う保護部材である。固定側化粧板部３６は、固定側ケース３２に嵌め込んで固定される。なお、テンキー３６６と制御回路１００とは電気的な配線によって接続されている。
【００２６】
ピン部３６２は、固定側化粧板部３６の表面に突出して設けられるピンであり、可動側ケース２２を構成する素材よりも柔らかい強度の素材で構成されている。ピン部３６２は、カード読取部２０の案内溝２２２の内側面上を摺動しながら案内される。なお、カード読取部２０についてカード読取部２０とキー入力操作部３０との積層方向に垂直な方向への移動は、図３に示されるような縦方向ではなくて横方向であってもよい。そして、これらのスライド機構は、案内溝２２２とピン部３６２とを用いたもの以外の周知のスライド機構を利用してもよい。
【００２７】
プランジャ部３６４は、ＩＣカードリーダ１０のカード読取部２０のみを使用する通常使用のときは、固定側化粧板部３６の端面から突出して嵌合孔２２４に嵌合することでカード読取部２０のスライド動作が制限されたロック状態とする。また、ＩＣカードリーダ１０のキー入力操作部３０を使用するときには、プランジャ部３６４は、固定側化粧板部３６の端面の内側に収納され、嵌合孔２２４に嵌合しないことでカード読取部２０のスライド動作が可能なロック解除状態とする。このように、プランジャ部３６４と嵌合孔２２４とは、プランジャ部３６４がカード読取部２０とキー入力操作部３０との積層方向に進退することで、嵌合孔２２４に嵌合したり（ロック状態）、プランジャ部３６４が嵌合孔２２４に嵌合しなかったり（ロック解除状態）することでロック状態とロック解除状態とを切り替える電磁ロック機構を構成している。
【００２８】
テンキー３６６は、数字の「０」から「９」と「＊」と「＃」の入力ボタンから構成されている。テンキー３６６を操作するユーザが各ボタンを押圧すると、その押圧された情報が制御回路１００に入力され、制御回路１００によって予め登録された認証情報と一致するか否かが照合される。
【００２９】
続いて、上記構成からなるＩＣカードリーダ１０の動作について、図１〜図４を参照して説明する。ＩＣカードリーダ１０は、図示しない外部設定によって制御回路１００の設定を行う。ＩＣカードリーダ１０のカード読取部２０とキー入力操作部３０のうち、例えば、外部設定によってカード読取部２０のみを使用するものと設定すると、図２に示されるように、ＩＣカードリーダ１０の通常の使用時は、プランジャ部３６４が嵌合孔２２４に嵌合されてカード読取部２０のスライド動作が停止されたロック状態となる。これにより、カード読取部２０のスライド動作を停止しているためユーザが誤ってキー入力操作部３０を操作してしまうことを防止することができる。
【００３０】
また、実際の入退室は、カード読取部２０のみの認証情報によって制限されている。このため、ユーザがＩＣカードリーダ１０にＩＣカードを近づけて、アンテナ回路部２４に交流電流が流れると電磁誘導によって空中に高周波の交流磁界が発生する。そして、ＩＣカード内に設けられたアンテナは、ＩＣカードリーダ１０のアンテナ回路部２４からの交流磁界を受けとる。そして、その後ＩＣカードリーダ１０とＩＣカードとの間で通信が行われ、以下のような認証がなされる。
【００３１】
ＩＣカードリーダ１０は、制御回路１００において送信信号を生成して符号化を行う。その後、符号化された送信信号は、変調回路１０１にて変調されてＲＦ送信回路１０３で増幅される。続いて、増幅された信号は、アンテナ回路部２４を介してＩＣカードに送信される。ＩＣカードは、ＩＣカードリーダ１０からの信号をもとにして、アンテナ回路部２４を介してＩＣカードリーダ１０に認識情報を含んだ信号を返信する。そして、ＩＣカードリーダ１０は、ＲＦ受信回路１０４と復調回路１０２とでその返信信号を受信した後、制御回路１００内で復号化することによりＩＣカードが予め登録されたものと一致するか否かを判断する。このようにＩＣカードリーダ１０は、ＩＣカードに記憶された認証情報がＩＣカードリーダ１０に予め登録された情報と一致する場合は入退室を許可（ＩＣカードリーダ１０が取り付けられるドア等がアンロック状態）する制御を行い、一致しない場合は入退室を禁止（ＩＣカードリーダ１０が取り付けられるドア等がロック状態）する制御を行う。
【００３２】
ＩＣカードリーダ１０において、外部設定によりテンキー３６６によって入力された認証情報のみに基づいて入退室制限を行うように設定することができる。この設定が行われると、プランジャ部３６４は、固定側化粧板部３６の端面の内側に収納されて嵌合孔２２４に嵌合しない。これにより、ＩＣカードリーダ１０は、カード読取部２０のスライド動作が可能であるロック解除状態となり、カード読取部２０をカード読取部２０とキー入力操作部３０の積層方向に垂直な方向にスライドさせることでキー入力操作部３０を操作することができる。したがって、キー入力操作部３０の操作が必要な場合にのみにカード読取部２０をスライドさせることができる。
【００３３】
ＩＣカードリーダ１０において、外部設定によりカード読取部２０とキー入力操作部３０の両方の認証情報に基づいて入退室制限を行うように設定することもできる。具体的には、通常の使用時は、図２に示されるように、カード読取部２０がキー入力操作部３０を覆い隠している状態でＩＣカードを近づけてＩＣカードに記憶された認証情報によって認証を行う。そして、この認証がＩＣカードリーダ１０に予め登録された認証情報と一致する場合には、キー入力操作部３０を使用可能状態とするために、プランジャ部３６４が固定側化粧板部３６の端面の内側に収納され、カード読取部２０のスライド動作が可能なロック解除状態にする。続いて、カード読取部２０をスライドさせた後、キー入力操作部３０のテンキー３６６を押圧することにより認証情報を入力して、その入力された情報が予め登録された認証情報と一致するか否かを判断する。このような判断を行い、テンキー３６６から入力される認証情報が予め登録された認証情報と一致する場合には、入退室を許可する制御を行い、一致しない場合は入退室を禁止する制御を行う。セキュリティレベルの高い領域への入退室については、上記のようなＩＣカードリーダ１０の設定を行うことで、例えばＩＣカードの所有者がＩＣカードを紛失する等して不審者がそのＩＣカードを拾った場合であっても、さらにテンキー３６６による認証も行うといった二重認証の入退室制限を行っているため、なりすましを防止することができる。
【図面の簡単な説明】
【００３４】
【図１】本発明の一実施形態であるＩＣカードリーダを示す図である。
【図２】本発明の一実施形態であるＩＣカードリーダにおいてキー入力操作部がカード読取部によって覆い隠されている状態を示す図である。
【図３】図２の状態からカード読取部をスライドした状態を示す図である。
【図４】本発明の一実施形態であるＩＣカードリーダの認証回路部を示すブロック図である。
【図５】従来技術のＩＣカードリーダを示す図である。
【図６】従来技術のＩＣカードリーダを示す図である。
【符号の説明】
【００３５】
２  通信制御手段、３  アンテナ、５  キー入力操作器、６  開閉機構、７  カードリーダ本体、１０  ＩＣカードリーダ、２０  カード読取部、２２  可動側ケース、２４  アンテナ回路部、２６  可動側化粧板部、３０  キー入力操作部、３２  固定側ケース、３４  認証回路部、３６  固定側化粧板部、１００  制御回路、１０１  変調回路、１０２  復調回路、１０３  ＲＦ送信回路、１０４  ＲＦ受信回路、２２１，３２３  前面、２２２  案内溝、２２４  嵌合孔、３２１  ボルト、３６２  ピン部、３６４  プランジャ部、３６６  テンキー。
【図１】
2010003064.tif 000003
【図２】
2010003064.tif 000004
【図３】
2010003064.tif 000005
【図４】
2010003064.tif 000006
【図５】
2010003064.tif 000007
【図６】
2010003064.tif 000008